(57)【要約】【課題】  それぞれに分光特性の異なる光を発する複数種類の光源（５、６）と、複数の画素毎に複数種類の光源（５、６）からの照明光を変調する受光型光変調手段（８）とを有する画像表示装置において、複数種類の光源の発光強度の比率に依存せず、所望の良好な色再現を可能にする。【解決手段】  外部から入力される第１の画像データ（Ｒ１、Ｇ１、Ｂ１）に基づいて複数種類の光源（５、６）の発光強度の比率を制御する発光比率制御手段（４）と、光源（５、６）の発光比率に基づいて第１の画像データ（Ｒ１、Ｇ１、Ｂ１）の色彩特性を補正して第２の画像データ（Ｒ２、Ｇ２、Ｂ２）を出力する色変換手段（１）とを備え、受光型光変調手段（４）が第２の画像データ（Ｒ２、Ｇ２、Ｂ２）に基づいて光源（５、６）からの照明光を変調する。【選択図】      図１
2006292914.tif 000002
【特許請求の範囲】
【請求項１】
それぞれに分光特性の異なる光を発する複数種類の光源と、
備える複数の画素毎に上記複数種類の光源からの照明光を変調する受光型光変調手段と
を有する画像表示装置において、
外部から入力される第１の画像データに基づいて上記複数種類の光源の発光強度の比率を制御する発光比率制御手段と、
上記複数種類の光源の発光比率に基づいて上記第１の画像データの色彩特性を補正して上記第１の画像データに対応する第２の画像データを出力する色変換手段とを備え、
上記受光型光変調手段が上記第２の画像データに基づいて上記複数種類の光源からの照明光を変調することを特徴とする画像表示装置。
【請求項２】
上記複数種類の光源は、冷陰極蛍光ランプおよび発光ダイオードを含むことを特徴とする請求項１に記載の画像表示装置。
【請求項３】
上記複数種類の光源は、それぞれに異なる色の発光ダイオードを含むことを特徴とする請求項１に記載の画像表示装置。
【請求項４】
上記複数種類の光源は、赤、緑、青の発光ダイオードを含むことを特徴とする請求項３に記載の画像表示装置。
【請求項５】
上記発光比率制御手段は、上記第１の画像データの明度の分布に基づいて上記複数種類の光源の発光強度の比率を制御することを特徴とする請求項１〜４のいずれか１項に記載の画像表示装置。
【請求項６】
上記発光比率制御手段は、上記第１の画像データの明度の分布を各画面に亘って、又は各画面及び各画面に先行する所定数の画面に亘って分析し、その分析の結果に基づいて、当該画面の表示が行われるときの、上記複数種類の光源の発光強度の比率を制御することを特徴とする請求項５に記載の画像表示装置。
【請求項７】
上記発光比率制御手段は、上記第１の画像データの色成分の分布に基づいて上記複数種類の光源の発光強度の比率を制御することを特徴とする請求項１〜４のいずれか１項に記載の画像表示装置。
【請求項８】
上記発光比率制御手段は、上記第１の画像データの色成分の分布を、各画面に亘って、又は各画面及び各画面に先行する所定数の画面に亘って分析し、その分析の結果に基づいて、当該画面の表示が行われるときの、上記複数種類の光源の発光強度の比率を制御することを特徴とする請求項７に記載の画像表示装置。
【発明の詳細な説明】
【技術分野】
【０００１】
この発明は、画像表示装置に係わり、中でも液晶表示装置など、光源および受光型光変調素子を用いて画像を表示する画像表示装置に関する。
【背景技術】
【０００２】
従来の画像表示装置および画像表示方法の一例が下記の特許文献１に記載されている。この従来の画像表示装置および画像表示方法は、液晶パネルの背面にバックライトを有する液晶表示装置であり、バックライトの光源として冷陰極蛍光ランプと白色またはＲ，Ｇ，Ｂの発光ダイオードアレイの両方、あるいは発光ダイオードアレイのみを用い、発光ダイオードにて輝度を制御する。この構成により、広いダイナミックレンジの映像表現と表示映像の輝度の高速応答性を消費電力を増やすことなく実現するものである。また、表示画面の中である閾値以上の明るさのある画像近傍の領域のみに対応するダイオードを選択的に制御して、当該画像近傍の明るさを更に明るくするものである。
【特許文献１】特開２００３−１４０１１０
【発明の開示】
【発明が解決しようとする課題】
【０００３】
上記の画像表示装置において、それぞれに分光特性の異なる光を発する複数種類の光源を有し、その発光強度を制御する場合、発光強度の比率により液晶パネルなどの受光型光変調手段に照射する照明光の分光特性が変化する。この結果、表示画像の色再現特性が変化し、予期しない色にて表示されるという問題がある。
【０００４】
本発明は、上記の問題に鑑みてなされたものであり、それぞれに分光特性の異なる光を発する複数種類の光源と、備える複数の画素毎に上記複数種類の光源からの照明光を変調する受光型光変調手段とを有する画像表示装置において、上記複数種類の光源の発光強度の比率に依存せず、所望の良好な色再現を示す画像表示装置を提供することを目的とする。
【課題を解決するための手段】
【０００５】
本発明に係る画像表示装置は、それぞれに分光特性の異なる光を発する複数種類の光源と、備える複数の画素毎に上記複数種類の光源からの照明光を変調する受光型光変調手段とを有する画像表示装置において、外部から入力される第１の画像データに基づいて上記複数種類の光源の発光強度の比率を制御する発光比率制御手段と、上記複数種類の光源の発光比率に基づいて上記第１の画像データの色彩特性を補正して上記第１の画像データに対応する第２の画像データを出力する色変換手段とを備え、上記受光型光変調手段が上記第２の画像データに基づいて上記複数種類の光源からの照明光を変調することを特徴とする。
【発明の効果】
【０００６】
本発明によれば、上記複数種類の光源の発光強度の比率に依存せず、所望の良好な色再現を示す実現することが可能となる。
【発明を実施するための最良の形態】
【０００７】
実施の形態１．
図１は、本発明に係る画像表示装置の一実施の形態を示すブロック図である。図１に示す画像表示装置は、色変換手段１、係数発生手段２、及び画像表示手段３を有し、画像表示手段３は、発光比率制御手段４、第１の光源５、第２の光源６、照明光拡散手段７、及び受光型光変調手段８を有する。
【０００８】
第１の画像データＲ１、Ｇ１、Ｂ１は、色変換手段１および発光比率制御手段４に入力される。ここで、Ｒ１、Ｇ１、Ｂ１は各画素のための、それぞれ赤、緑、青を表すデータである。色変換手段１では、係数発生手段２からの色変換係数に基づいて、第１の画像データＲ１、Ｇ１、Ｂ１に色変換処理を施して第２の画像データＲ２、Ｇ２、Ｂ２を生成する。色変換手段１は、マトリクス演算回路やメモリを用いたルックアップテーブルなどにより構成される。色変換手段１がマトリクス演算回路により構成される場合、色変換係数はマトリクス演算の演算係数（マトリクス係数）として与えられる。また、色変換手段１がルックアップテーブルなどにより構成される場合、色変換係数はテーブル値として与えられる。
【０００９】
発光比率制御手段４は、第１の画像データＲ１、Ｇ１、Ｂ１の内容（例えば明度の分布）を各画面に亘って、又は各画面及び過去の数画面、例えば各画面に先行する所定数の画面に亘って分析し、その結果に基づいて、当該画面の表示が行われるときの第１の光源５および第２の光源６の発光の比率を制御する。第１の光源５および第２の光源６の発光の比率は、発光強度制御データＶ１およびＶ２により制御される。発光強度制御データＶ１は、第１の光源５の発光強度を制御するためのデータであり、発光強度制御データＶ２は、第２の光源６の発光強度を制御するためのデータである。第１の光源５および第２の光源６からの光は、受光型光変調手段８を均一に照明するように照明光拡散手段７にて拡散される。
【００１０】
第２の画像データＲ２、Ｇ２、Ｂ２は、受光型光変調手段８へと入力される。受光型光変調手段８は、例えば透過型の液晶パネルなどにより構成され、第２の画像データＲ２、Ｇ２、Ｂ２に基づいて画素毎に透過率を変化させる。これにより、照明光拡散手段７にて拡散された照明光の強度を画素毎に変調して画像を表示する。
【００１１】
第１の光源５と第２の光源６は、異なる分光特性を有する光を発する。ここで、第１の光源５は広い色再現範囲にて画像表示が可能な光源であり、第２の光源６は色再現範囲では劣るものの、発光効率が優れた（すなわち明るい光を発することが可能な）光源とする。例えば、第１の光源５は、赤、緑、青の発光ダイオード（ＬＥＤ）など、異なる色の光源を複数配列した構成とすることができる。一方、第２の光源６は、冷陰極蛍光ランプなどにより構成される。一般に赤、緑、青のＬＥＤを用いた光源は、各色の主波長付近にスペクトルが集中し、不要なスペクトル成分の少ない光を発するため、広い色再現範囲での画像表示が可能となる。一方で、現状ではＬＥＤの発光効率は冷陰極蛍光ランプと比較して低く、同等の電力で明るい光を発するためには冷陰極蛍光ランプの方が有利となる。
【００１２】
図２は、発光比率制御手段４の一例を示すブロック図である。図２に示す発光比率制御手段４は、明度算出手段９、ヒストグラム生成手段１０、及び発光比率算出手段１１を有する。第１の画像データＲ１、Ｇ１、Ｂ１は明度算出手段９へと入力される。明度算出手段９は、第１の画像データＲ１、Ｇ１、Ｂ１により示される明度Ｌを算出して出力する。明度Ｌは、例えば第１の画像データＲ１、Ｇ１、Ｂ１の重み付け加算により算出される。この際、各色の明度に対する寄与の大きさにより重み付けは決定される。明度Ｌは、ヒストグラム生成手段１０に入力される。ヒストグラム生成手段１０は、例えば１画面内における各画素の明度Ｌの分布を表すヒストグラムＤ（Ｌ）を画面ごとに生成する。ヒストグラムＤ（Ｌ）は、明度Ｌの各値に対して、当該明度値となる画素の１画面内における発生頻度を表す。
【００１３】
ヒストグラムＤ（Ｌ）は、発光比率算出手段１１に入力される。発光比率算出手段１１は、ヒストグラムＤ（Ｌ）の内容に応じて第１の光源５の発光強度制御データＶ１、および第２の光源６の発光強度制御データＶ２を決定する。例えば、ヒストグラムＤ（Ｌ）の重心を求め、重心が明度値の大きい領域にあれば光源６の発光強度が強くなるように、重心が明度値の小さい領域にあれば光源５の発光強度が強くなるように発光強度制御データＶ１、Ｖ２を決定する。すなわち、当該画面が明るい画面であると判断された場合には、より発光効率の優れた冷陰極蛍光ランプの発光比率を高くして明るさ重視の表示とし、当該画面が比較的暗い画面であると判断された場合には、より色再現範囲の優れたＬＥＤの発光比率を高くして色再現範囲重視の表示となるようにする。これにより、表示の明るさと色再現範囲の両立が可能となる。ここで、発光比率算出手段１１ではヒストグラムの重心を用いる代わりに、平均値や累積頻度などを用いて画面の明るさを推定することも考えられる。
【００１４】
図３は、発光比率制御手段４の他の例を示すブロック図である。図３に示す発光比率制御手段４の構成は、図２に示す構成において明度算出手段９を彩度算出手段１２に置き換えたものである。彩度算出手段１２では、第１の画像データＲ１、Ｇ１、Ｂ１により示される彩度Ｓを算出して出力する。彩度Ｓは、例えば第１の画像データＲ１、Ｇ１、Ｂ１の最大値、最小値を用いて算出される。彩度Ｓはヒストグラム生成手段１０に入力されてヒストグラムＤ（Ｓ）が画面ごとに生成され、発光比率算出手段１１にてヒストグラムＤ（Ｓ）の内容に応じて発光強度制御データＶ１、Ｖ２が決定される。以上の動作は図２におけるものと同様である。図３に示す発光比率制御手段４の構成においては、当該画面が彩度の高い、色鮮やかな画面であると判断された場合には、より色再現範囲の優れたＬＥＤの発光比率を高くして色再現範囲重視の表示とし、当該画面が比較的彩度の低い画面であると判断された場合には、より発光効率の優れた冷陰極蛍光ランプの発光比率を高くして消費電力の抑制を重視した表示とする。これにより、低消費電力と色再現範囲の両立が可能となる。
【００１５】
次に、係数発生手段２における動作について述べる。係数発生手段２には、発光強度制御データＶ１、Ｖ２が入力される。係数発生手段２では、発光強度制御データＶ１、Ｖ２から発光比率を求め、求められた発光比率に基づいて色変換係数を発生する。ここで、色変換手段１における色変換処理が下記の式（１）により表されるとすると、色変換係数はマトリクス係数（Ａｉｊ）にて表される。マトリクス係数（Ａｉｊ）は、ｉ＝１〜３、ｊ＝１〜３の３行３列の行列である。
【００１６】
【数１】
2006292914.tif 000003
【００１７】
図４は、係数発生手段２の一例を示すブロック図である。図４に示す係数発生手段２は、発光比率演算手段１３、係数記憶手段１４ａ〜１４ｅ、係数選択手段１５、及び係数補間手段１６を有する。発光強度制御データＶ１、Ｖ２は発光比率演算手段１３へと入力される。発光比率演算手段１３では、第１の光源５の正規化された発光比率である正規化発光比率ａを算出する。正規化発光比率は、第１の光源５および第２の光源６の発光比率を加算すると１になるように正規化されており、したがって、第２の光源６の正規化発光比率は（１−ａ）となる。正規化発光比率ａは、係数選択手段１５および係数補間手段１６に入力される。
【００１８】
係数記憶手段１４ａ〜１４ｅは、正規化発光比率ａの代表的な値に対する色変換係数をそれぞれ予め記憶する。係数記憶手段１４ａは、正規化発光比率ａ＝ａ０＝０に対する色変換係数、係数記憶手段１４ｂは、正規化発光比率ａ＝ａ１＝０．２５に対する色変換係数、係数記憶手段１４ｃは、正規化発光比率ａ＝ａ２＝０．５に対する色変換係数、係数記憶手段１４ｄは、正規化発光比率ａ＝ａ３＝０．７５に対する色変換係数、係数記憶手段１４ｅは、正規化発光比率ａ＝ａ４＝１に対する色変換係数を記憶する。色変換係数の値はそれぞれに異なる。
【００１９】
発光比率が変化することで、受光型光変調手段８を照明する光源からの照明光の分光特性が変化する。したがって、受光型光変調手段８における変調が同一（すなわち第２の画像データの値が同一）であれば、変調後の光の分光特性（すなわち表示される色）が変化することになる。よって、表示される色が同一であるためには、光源の発光比率に応じて第２の画像データの値が変化する必要がある。すなわち、同一の第１の画像データの値に対して同一の色が表示されるためには、対応する第２の画像データの値が光源の発光比率に応じて変化する必要がある。言い換えれば、第１の画像データから第２の画像データを生成するための色変換係数は、光源の発光比率に応じて変化する必要がある。ここで、表示される色が同一であるとは、必ずしも分光特性が一致するものに限定するものではなく、測色的、もしくは視感的に差異が許容範囲内にあることを含む。
【００２０】
係数選択手段１５は、発光比率演算手段１３から出力される正規化発光比率ａの値に基づいて、係数記憶手段１４ａ〜１４ｅに記憶された色変換係数のうちの適切な２組を選択し、（Ｄｉｊ）、（Ｅｉｊ）として出力する。ここで言う、適切な２組の色変換係数（Ｄｉｊ）、（Ｅｉｊ）としては、入力された正規化発光比率ａに最も近い２つの値（ａ０〜ａ４のうちの二つ）に対する色変換係数が選択される。
例えば、入力された正規化発光比率ａ＝０．６の場合、正規化発光比率ａ＝ａ２＝０．５に対する色変換係数である係数記憶手段１４ｃに記憶される係数が（Ｄｉｊ）として、正規化発光比率ａ＝ａ３＝０．７５に対する色変換係数である係数記憶手段１４ｄに記憶される係数が（Ｅｉｊ）として選択される。
【００２１】
係数補間手段１６は、選択された２組の色変換係数（Ｄｉｊ）、（Ｅｉｊ）から、入力された正規化発光比率ａの値に対応する色変換係数（Ａｉｊ）を算出する。例えば、色変換係数（Ａｉｊ）の各要素の値は、（Ｄｉｊ）および（Ｅｉｊ）の各要素の値の重み付け加算により求められる。この際の重み付けは、入力された正規化発光比率ａと選択された係数に対応する正規化発光比率の距離に従って決定される。
なお、発光比率演算手段１３から出力された正規化発光比率ａがａｉ（ｉ＝０、１、２、３，４のいずれか）に等しい場合、ａｉに対する色変換係数と、ａ（ｉ＋１）又はａ（ｉ−１）に対する色変換係数とを選択する。この場合、重み付け加算において、ａｉに対する色変換係数に対して重み付け係数として１が適用され、ａ（ｉ＋１）又はａ（ｉ−１）に対する色変換係数に対して重み付け係数として０が適用される。
【００２２】
本実施の形態における画像表示装置は、以上のように動作する。したがって、画像の内容に応じて異なる分光特性を有する光を発する複数種類の光源の発光比率を変化させることにより、例えば表示の明るさ、もしくは低消費電力化と、広い色再現範囲の両立が可能となる。また、複数種類の光源の発光比率に基づいて色変換の特性を決定するので、複数種類の光源の発光比率に依存せず、所望の良好な色再現を実現することが可能となる。
【００２３】
実施の形態２．
図５は、本発明に係る画像表示装置の他の実施の形態を示すブロック図である。図５に示す画像表示装置は、色変換手段１、係数発生手段２ｂ、及び画像表示手段３ｂを有し、画像表示手段３ｂは、発光比率制御手段４ｂ、Ｒ光源１７、Ｇ光源１８、Ｂ光源１９、照明光拡散手段７、及び受光型光変調手段８を有する。係数発生手段２ｂ、発光比率制御手段４ｂ、Ｒ光源１７、Ｇ光源１８、Ｂ光源１９以外の構成は、上記実施の形態１の図１に示すものと同様である。
【００２４】
第１の画像データＲ１、Ｇ１、Ｂ１は、色変換手段１および発光比率制御手段４ｂに入力される。色変換手段１では、係数発生手段２ｂからの色変換係数に基づいて、第１の画像データＲ１、Ｇ１、Ｂ１に色変換処理を施して第２の画像データＲ２、Ｇ２、Ｂ２を生成する。色変換手段１がマトリクス演算回路により構成される場合、色変換係数はマトリクス演算の演算係数として与えられる。また、色変換手段１がルックアップテーブルなどにより構成される場合、色変換係数はテーブル値として与えられる。
【００２５】
発光比率制御手段４ｂは、第１の画像データＲ１、Ｇ１、Ｂ１の内容（例えば、色成分の分布）を各画面に亘って、又は各画面及び過去の数画面、例えば各画面に先行する所定数の画面に亘って分析し、その結果に基づいて、当該画面の表示が行われるときのＲ光源１７、Ｇ光源１８およびＢ光源１９の発光の比率を制御する。Ｒ光源１７、Ｇ光源１８およびＢ光源１９の発光比率は、発光強度制御データＶＲ、ＶＧおよびＶＢにより制御される。発光強度制御データＶＲは、Ｒ光源１７の発光強度を制御するためのデータ、発光強度制御データＶＧは、Ｇ光源１８の発光強度を制御するためのデータであり、発光強度制御データＶＢは、Ｂ光源１９の発光強度を制御するためのデータである。
Ｒ光源１７、Ｇ光源１８およびＢ光源１９は、それぞれ赤、緑および青色の光を発する（すなわち、異なる分光特性を有する光を発する）。Ｒ光源１７、Ｇ光源１８およびＢ光源１９は、例えば赤、緑および青色の発光ダイオード（ＬＥＤ）などにより構成することができる。
【００２６】
Ｒ光源１７、Ｇ光源１８およびＢ光源１９からの光は、受光型光変調手段８を均一に照明するように照明光拡散手段７にて拡散される。
第２の画像データＲ２、Ｇ２、Ｂ２は、受光型光変調手段８へと入力される。受光型光変調手段８は、例えば透過型の液晶パネルなどにより構成され、第２の画像データＲ２、Ｇ２、Ｂ２に基づいて画素毎に透過率を変化させる。これにより、照明光拡散手段７にて拡散された照明光の強度を画素毎に変調して画像を表示する。
【００２７】
図６は、発光比率制御手段４ｂの一例を示すブロック図である。図６に示す発光比率制御手段４ｂは、有彩色成分算出手段２０、ヒストグラム生成手段１０ｂ、及び発光比率算出手段１１ｂを有する。第１の画像データＲ１、Ｇ１、Ｂ１は有彩色成分算出手段２０へと入力される。有彩色成分算出手段２０は、第１の画像データＲ１、Ｇ１、Ｂ１における有彩色成分を表す有彩色成分データｒ、ｇ、ｂを算出して出力する。有彩色成分データｒ、ｇ、ｂは、例えば下記の式（２）により求められる。
【００２８】
【数２】
2006292914.tif 000004
【００２９】
式（２）において、αは第１の画像データＲ１、Ｇ１、Ｂ１の最小値であり、第１の画像データＲ１、Ｇ１、Ｂ１における無彩色成分を表す。有彩色成分データｒ、ｇ、ｂは、ヒストグラム生成手段１０ｂに入力される。ヒストグラム生成手段１０ｂは、例えば１画面内における有彩色成分データｒ、ｇ、ｂの分布を表すヒストグラムＤ（ｒ）、Ｄ（ｇ）、Ｄ（ｂ）を画面ごとに生成する。ヒストグラムＤ（ｒ）、Ｄ（ｇ）、Ｄ（ｂ）は、有彩色成分データｒ、ｇ、ｂの各値に対して、当該値となる画素の１画面内における発生頻度を表す。
【００３０】
ヒストグラムＤ（ｒ）、Ｄ（ｇ）、Ｄ（ｂ）は、発光比率算出手段１１ｂに入力される。発光比率算出手段１１ｂは、ヒストグラムＤ（ｒ）、Ｄ（ｇ）、Ｄ（ｂ）の内容に応じてＲ光源１７の発光強度制御データＶＲ、Ｇ光源１８の発光強度制御データＶＧ、およびＢ光源１９の発光強度制御データＶＢを決定する。例えば、ヒストグラムＤ（ｒ）、Ｄ（ｇ）、Ｄ（ｂ）のそれぞれの重心を求め、ヒストグラムＤ（ｒ）の重心が他よりも大きい場合にはＲ光源１７の発光強度が強くなるように、ヒストグラムＤ（ｇ）の重心が他よりも大きい場合にはＧ光源１８の発光強度が強くなるように、ヒストグラムＤ（ｂ）の重心が他よりも大きい場合にはＢ光源１９の発光強度が強くなるように発光強度制御データＶＲ、ＶＧ、ＶＢを決定する。すなわち、当該画面が全体として赤色の強い画面であると判断された場合には、Ｒ光源１７の発光比率を高くして赤色の再現性を高めた表示とし、当該画面が全体として緑色の強い画面であると判断された場合には、Ｇ光源１８の発光比率を高くして緑色の再現性を高めた表示とし、当該画面が全体として青色の強い画面であると判断された場合には、Ｂ光源１９の発光比率を高くして青色の再現性を高めた表示となるようにする。これにより、表示画像の色再現性を高めることが可能となる。
【００３１】
受光型光変調手段８がカラー液晶パネルである場合、各画素にカラーフィルタを備えるのであるが、一般にカラーフィルタは透過帯域以外の波長の光も幾分は透過する傾向がある。また、低消費電力にて明るい表示を行うために、カラーフィルタの透過帯域は非常に広くなっている場合も多い。したがって、カラーフィルタを透過した光は、本来は不要な（透過すべきでない）波長の光をも幾らか透過する場合が多い。
本実施の形態の画像表示装置において、例えば、Ｒ光源１７の発光比率を他よりも高くすると、受光型光変調手段８を照明する照明光においては、緑および青領域（短〜中波長）の波長成分が相対的に小さくなる。これにより、受光型光変調手段８にて変調された後に表示される赤色は、不要な波長成分が少なくなり、より純度の高い赤として表示される。この結果、赤色の再現性が非常に高くなるという効果がある。緑および青色についても同様である。
ここで、発光比率算出手段１１ｂではヒストグラムの重心を用いる代わりに、平均値や累積頻度などを用いることも考えられる。
【００３２】
次に、係数発生手段２ｂにおける動作について述べる。係数発生手段２ｂには、発光強度制御データＶＲ、ＶＧ、ＶＢが入力される。係数発生手段２ｂでは、発光強度制御データＶＲ、ＶＧ、ＶＢから発光比率を求め、求められた発光比率に基づいて色変換係数を発生する。ここで、例えば赤色の強い画面である場合においても、一般に画面中には緑色や青色の画素も存在する。この時、Ｒ光源１７の発光比率を他よりも高めた場合、赤色の表示を行う画素に対しては不要な波長成分が少なくなる一方で、緑および青色の画素の表示に対しては不要な（赤色の）波長成分が多くなり、色再現性は劣化する。係数発生手段２ｂは、光源の発光比率を変化させることで不要な波長成分が増加し、色再現性が劣化する画素に対して、不要な色成分を画像信号から減少させるような係数を発生する。
【００３３】
Ｒ光源１７の発光比率を他よりも高めた場合、緑および青色の画素の表示に対して、画像信号における赤色の成分を減少させる係数を発生する。換言すれば、第１の画像データＲ１、Ｇ１、Ｂ１が緑色や青色を表す場合、第２の画像データＲ２、Ｇ２、Ｂ２においてＲ２の比率が小さくなるような係数を発生する。ここで、色変換手段１における色変換処理が下記の式（３）により表されるとすると、色変換係数はマトリクス係数（Ａｉｊ）にて表される。
【００３４】
【数３】
2006292914.tif 000005
【００３５】
上記の式（３）において、ａ１１、ａ２１、ａ３１は第１の画像データが赤色を表す場合における第２の画像データＲ２、Ｇ２、Ｂ２の比率をそれぞれ決定する係数、ａ１２、ａ２２、ａ３２は第１の画像データが緑色を表す場合における第２の画像データＲ２、Ｇ２、Ｂ２の比率をそれぞれ決定する係数、ａ１３、ａ２３、ａ３３は第１の画像データが青色を表す場合における第２の画像データＲ２、Ｇ２、Ｂ２の比率をそれぞれ決定する係数である。したがって、発光強度制御データＶＲ、ＶＧ、ＶＢから得られる発光比率において、例えばＲ光源１７の発光比率が他よりも高い場合、係数発生手段２ｂは、ａ１２およびａ１３の値を小さくした係数を発生する。
【００３６】
色変換手段１における色変換処理は、上記の式（３）の代わりに、下記の式（４）により表される処理とすることもできる。式（４）において、マトリクス係数（Ｈｉｊ）が係数発生手段２ｂにて発生される色変換係数となる。また、式（４）において、αは第１の画像データＲ１，Ｇ１，Ｂ１の最小値であり、第１の画像データＲ１，Ｇ１，Ｂ１における無彩色の成分を表す。
【００３７】
【数４】
2006292914.tif 000006
【００３８】
上記の式（４）によれば、赤、青、緑の色再現に加え、無彩色の色再現も調整することが可能となる。上記の式（４）において、ｈ１４、ｈ２４、ｈ３４は第１の画像データが無彩色を表す場合における第２の画像データＲ２、Ｇ２、Ｂ２の比率をそれぞれ決定する係数である。上記式（４）の色変換処理によれば、赤色の強い画面における白色などの無彩色の色再現を改善することが可能となる。Ｒ光源１７の発光比率を他よりも高めた場合、白色などの無彩色の色再現は赤みの強いものとなる。よって、係数発生手段２ｂは、ｄ１４の値を小さくすることにより、第１の画像データＲ１、Ｇ１、Ｂ１が無彩色を表す場合における、第２の画像データＲ２の比率を小さくする。これにより、表示される無彩色の赤みの強さは解消される。
【００３９】
さらに、色変換手段１における色変換処理は、上記の式（３）或いは式（４）の代わりに、下記の式（５）により表される処理とすることもできる。式（５）において、マトリクス係数（Ｋｉｊ）が係数発生手段２ｂにて発生される色変換係数となる。また、式（５）において、ｈｒ、ｈｇ、ｈｂ、ｈｃ、ｈｍ、ｈｙはそれぞれ赤、緑、青、シアン、イエロー、マゼンタの色相にのみ有効な演算項であり、第一の色データＲ１，Ｇ１，Ｂ１より生成される。αは第１の画像データＲ１，Ｇ１，Ｂ１の最小値であり、第１の画像データＲ１，Ｇ１，Ｂ１における無彩色の成分を表す。
【００４０】
【数５】
2006292914.tif 000007
【００４１】
上記の式（５）によれば、各演算項に係るマトリクス係数の値を調整することにより、赤、青、緑、シアン、イエロー、マゼンタの６つの色相、および無彩色の色再現をそれぞれ独立に調整することが可能となる。Ｒ光源１７の発光比率を他よりも高めた場合、近接するイエローおよびマゼンタの色再現が赤みの強いものとなるが、上記式（５）の色変換処理によれば、イエローおよびマゼンタの色再現を、赤の色再現とは独立に調整可能であり、表示されるイエローおよびマゼンタの赤みの強さを解消できる。
【００４２】
本実施の形態における画像表示装置は、以上のように動作する。したがって、画像の内容に応じて異なる色の光を発する複数種類の光源の発光比率を変化させ、また光源の発光比率に基づいて色変換の特性を決定するので、良好な色再現を実現することが可能となる。
【図面の簡単な説明】
【００４３】
【図１】本発明の実施の形態１の画像表示装置を示すブロック図である。
【図２】発光比率制御手段の内部構成の一例を示すブロック図である。
【図３】発光比率制御手段の内部構成の一例を示すブロック図である。
【図４】係数発生手段の内部構成の一例を示すブロック図である。
【図５】本発明の実施の形態２の画像表示装置を示すブロック図である。
【図６】発光比率制御手段の内部構成の一例を示すブロック図である。
【符号の説明】
【００４４】
１  色変換手段、  ２、２ｂ  係数発生手段、  ３  画像表示手段、  ４、４ｂ  発光比率制御手段、  ５  第１の光源、  ６  第２の光源、  ７  照明光拡散手段、  ８  受光型光変調手段、  ９  明度算出手段、  １０、１０ｂ  ヒストグラム生成手段、  １１、１１ｂ  発光比率算出手段、  １２  彩度算出手段、  １３  発光比率演算手段、  １４ａ〜１４ｅ  係数記憶手段、  １５  係数選択手段、  １６  係数補間手段、  １７  Ｒ光源、  １８  Ｇ光源、  １９  Ｂ光源、  ２０  有彩色成分算出手段。
【図１】
2006292914.tif 000008
【図２】
2006292914.tif 000009
【図３】
2006292914.tif 000010
【図４】
2006292914.tif 000011
【図５】
2006292914.tif 000012
【図６】
2006292914.tif 000013